(57)【要約】【課題】少なくとも、色材受容層及び基材層からなる昇華転写受像紙において、証明写真の画像を転写した受像紙を証明写真に適合したサイズに切断することを容易にした証明写真用昇華転写受像紙を提供する。【解決手段】証明写真用昇華転写受像紙は、少なくとも、色材受容層及び基材層からなり、色材受容層と反対側の基材層面に証明写真のサイズに対応した切取り線１が印刷されていることを特徴とする。テンプレート、金型等に頼ることなく、証明写真の画像を転写した受像紙を証明写真に適合したサイズに切断することを容易に行うことができる。【選択図】　図１
2004090584.tif 000002
【特許請求の範囲】
【請求項１】
少なくとも、色材受容層及び基材層からなる昇華転写受像紙において、色材受容層と反対側の基材層面に証明写真のサイズに対応した切取り線が印刷されていることを特徴とする証明写真用昇華転写受像紙。
【請求項２】
切取り線は位置検知マークを備えることを特徴とする請求項１に記載の証明写真用昇華転写受像紙。
【請求項３】
切取り線は反射濃度１．５以上の黒色の印刷層により形成されていることを特徴とする請求項１又は２の何れか一項に記載の証明写真用昇華転写受像紙。
【請求項４】
複数種の証明写真のサイズに対応して複数種の切取り線が形成されていることを特徴とする請求項１乃至３の何れか一項に記載の証明写真用昇華転写受像紙。
【請求項５】
切取り線に対応する証明写真の種類の表示が印刷されていることを特徴とする請求項１乃至４の何れか一項に記載の証明写真用昇華転写受像紙。
【発明の詳細な説明】
【０００１】
【発明の属する技術分野】
本発明は、熱転写受像シートの技術分野に属し、詳しくは証明写真作成用の昇華転写受像紙に関する。
【０００２】
【従来の技術】
従来より、昇華転写方式による画像形成は、例えばＣＴ、内視鏡、ＭＲ、サーモグラフィ等の各種診断画像の出力、　校正用途、「プリクラ」等のアミューズメント分野における画像形成等に応用されている。また、最近は、色材を転写し画像を形成するプロセスの最後にオーバーコート層を転写することにより耐光性をはじめとする耐久性を付与することが行われ、これにより転写製品の品質は大幅に向上してきた。このような状況を踏まえ、昇華転写方式により形成された画像は、デジタルカメラの出力画像としてまた証明写真としても用いられ応用範囲が広がってきた。
【０００３】
ところで、証明写真は、履歴書、運転免許証、パスポート、身分証明書等の用途に応じてサイズが異なるため、プリントした後に各種サイズに切断しなければならない。そして、プリントしたものを証明写真の用途に応じた所定のサイズに切断するためには、定規や、テンプレート、金型等が必要である。しかし、証明写真は、それを必要とする手続きを行う直前に撮影する場合が殆どであり、そのような時には定規や、テンプレート、金型等を持ち合わせていない場合が殆どである。
【０００４】
また、昇華転写方式による印刷においては、イエロー、マゼンタ、シアンの各色の染料の転写とオーバーコート層の転写の計４回の印刷動作が必要であり、そのためサーマルヘッドに対する受像紙の位置を規定することが必要である。このことから、従来より、位置検知マークが基材層の裏面に印刷されており、一方プリンターに検知マークを読み取るための見当センサーを設けることが行われている。しかし、前記検知マークはあくまでも受像紙の位置を規定するためのものでありその他の機能を果たすものではない。
【０００５】
【発明が解決しようとする課題】
本発明の課題は、少なくとも、色材受容層及び基材層からなる昇華転写受像紙において、証明写真の画像を転写した受像紙を証明写真に適合したサイズに切断することを容易にした証明写真用昇華転写受像紙を提供することにある。
【０００６】
【課題を解決するための手段】
請求項１は上記の課題を解決するもので、少なくとも、色材受容層及び基材層からなる昇華転写受像紙において、色材受容層と反対側の基材層面に証明写真のサイズに対応した切取り線が印刷されていることを特徴とする証明写真用昇華転写受像紙を要旨とする。
【０００７】
本発明の証明写真用昇華転写受像紙において、切取り線は位置検知マークを備えたものとすることができる。
【０００８】
その場合において、切取り線は、プリンターの見当センサーが位置検知マークを十分に検知するように、反射濃度１．５以上の黒色の印刷層により形成されていることが好ましい。
【０００９】
また、本発明の証明写真用昇華転写受像紙において、免許証、パスポート等の複数種の証明写真のサイズに対応して複数種の切取り線が形成されていることが好ましい。
【００１０】
また、切取り線に対応する証明写真の種類の表示が印刷されていることが好ましい。
【００１１】
【発明の実施の形態】
図１は本発明に係る証明写真用昇華転写受像紙の第１の実施の形態を示す背面図である。この証明写真用昇華転写受像紙は、少なくとも、色材受容層及び基材層からなり、色材受容層と反対側の基材層面に複数個の履歴書用の証明写真のサイズに対応した切取り線１が印刷されている。この切取り線１は位置検知マーク２を備えるものである。
【００１２】
図２は本発明に係る証明写真用昇華転写受像紙の第２の実施の形態を示す背面図である。この証明写真用昇華転写受像紙は、少なくとも、色材受容層及び基材層からなり、色材受容層と反対側の基材層面に免許証とパスポートに対応した切取り線３ａ，３ｂが印刷され、且つ証明写真のサイズに対応した免許証、　パスポートといった証明写真の種類の表示４が印刷されている。ここにおいて切取り線３ａ，３ｂの少なくとも一つは位置検知マーク２を備えるものである。
【００１３】
その場合において、切取り線は、プリンターの見当センサー（図示せず）が位置検知マークを十分に検知するように、反射濃度１．５以上の黒色の印刷層により形成されていることが好ましい。なお、ここにおいて、反射濃度は、例えばマクベス「ＲＤ９１８」（商品名）のブラックフィルター及び「グレダグマクベス」（商品名）のブラックフィルター等の通常の印刷管理で使用されている光学濃度計で測った値である。
【００１４】
本発明の証明写真用昇華転写受像紙は、従来から公知の昇華転写受像紙に適用することができるものであるが、以下に本発明において用いる昇華転写受像紙について説明する。
【００１５】
昇華転写受像紙は少なくとも基材層及び色材受容層を備えるものである。ここにおいて、基材としては、ミクロボイドを有するプラスチックフィルムの単層または複数層からなるもの、或いはプラスチックフィルムまたは紙（例えば王子製紙（株）製「ＯＫコート」）からなる支持体をミクロボイドを有するプラスチックフィルムを貼り合わせてなる積層材からなるものが、転写時に良好なクッション性を付与し良好な画像を形成するので好ましい。ミクロボイドを有するプラスチックフィルムはポリプロピレンやポリエチレンテレフタレートからなるものが一般的であり、一例として東洋紡績（株）製「Ｐ４２５５」が挙げられる。
【００１６】
前記した支持体とミクロボイドを有するプラスチックフィルムを積層したものは、ミクロボイドを有するプラスチックフィルム単体のときに生じるプリント時の熱によるカールが支持体により防止されるので好ましい。また、支持体とミクロボイドを有するプラスチックフィルムの積層構造は、その他に、支持体を中心にその両側にミクロボイドを有するプラスチックフィルムを積層した３層以上の多層構造であっても良い。
【００１７】
基材の色材受容層と反対側の層は、カール防止及び湿気防止の役割を果たすもので、これらの役割を果たすプラスチックフィルムまたは樹脂層または紙層で構成することができる。この基材の色材受容層と反対側の層は、一般的に、色材受容層に面するプラスチックフィルムの１／３〜３倍の厚さで構成される。
【００１８】
また、基材の色材受容層と反対側の面に必要に応じて、プリンター給紙時の紙間摩擦力の低減のために裏面層を設けても良い。また、裏面層は筆記適性を向上させるための筆記適性層を含むものであっても良い。
【００１９】
また、色材受容層としては、昇華転写受像層として一般に用いられているもの、例えば、飽和ポリエステルと塩化ビニル共重合体の混合樹脂からなるものを適用することができる。なお、証明写真用昇華転写受像紙に求められる特性を考慮して色材受容層はオーバーコート層の転写が可能であるものが望ましい。
【００２０】
ここで、図１に示す証明写真用昇華転写受像紙を用いて証明写真を形成する過程について説明する。まず、図１に示す証明写真用昇華転写受像紙を、その裏面に印刷された位置検知マーク２をプリンターに設けられた見当センサーにより検知してサーマルヘッドに対して適性な位置に配置し、その状態で色材受容層に履歴書用証明写真の画像を転写し、さらに画像の上にオーバープリント層を転写する。次いで、受像紙の裏面に印刷された切取り線１に沿って受像紙を切断して履歴書用証明写真を得る。
【００２１】
次に、図２に示す証明写真用昇華転写受像紙を用いて免許証用証明写真を作成する場合について説明する。まず、図２に示す証明写真用昇華転写受像紙を、その裏面に印刷された位置検知マークをプリンターに設けられた見当センサーにより検知してサーマルヘッドに対して適性な位置に配置し、その状態で色材受容層に免許証用証明写真の画像を転写し、さらに画像の上にオーバープリント層を転写する。次いで、受像紙の裏面に印刷された免許証用証明写真用切取り線３ａに沿って受像紙を切断して免許証用証明写真を得る。
【００２２】
同様にして、図２に示す証明写真用昇華転写受像紙を用いてパスポート用証明写真を作成する場合について説明する。まず、図２に示す証明写真用昇華転写受像紙を、その裏面に印刷された位置検知マークをプリンターに設けられた見当センサーにより検知してサーマルヘッドに対して適性な位置に配置し、その状態で色材受容層にパスポート用証明写真の画像を転写し、さらに画像の上にオーバープリント層を転写する。次いで、受像紙の裏面に印刷されたパスポート用証明写真用切取り線３ｂに沿って受像紙を切断してパスポート用証明写真を得る。
【００２３】
以上、本発明の実施の形態について詳細に説明してきたが、本発明による証明写真用昇華転写受像紙は、上記実施の形態に何ら限定されるものではなく、本発明の趣旨を逸脱しない範囲において種々の変更が可能であることは当然のことである。
【００２４】
【発明の効果】
本発明の証明写真用昇華転写受像紙は、少なくとも、色材受容層及び基材層からなる昇華転写受像紙において、色材受容層と反対側の基材層面に証明写真のサイズに対応した切取り線が印刷されていることを特徴としているので、テンプレート、金型等に頼ることなく、証明写真の画像を転写した受像紙を証明写真に適合したサイズに切断することを容易に行うことができる。
【００２５】
【図面の簡単な説明】
【図１】本発明に係る証明写真用昇華転写受像紙の第１の実施の形態を示す背面図である。
【図２】本発明に係る証明写真用昇華転写受像紙の第２の実施の形態を示す背面図である。
【符号の説明】
１，３ａ，３ｂ　切取り線
２　位置検知マーク
４　表示
【図１】
2004090584.tif 000003
【図２】
2004090584.tif 000004